(57)【特許請求の範囲】
【請求項１】
靴下類等のための円形編機のための足部であって、
支持構造体を備えており、該支持構造体は、
−実質的に垂直な方向に沿って延びている複数の直立体と、
−該直立体に強固に連結されて前記直立体を相互に連結する１つの管状補強要素と
を備えており、
前記管状補強要素は管状補強要素自体で閉じられており、
前記管状補強要素は、前記支持構造体の２つの対向する側面に沿って配置された２つの側方部分を有しており、
該２つの側方部分は夫々Ｃ字形状であり、前記支持構造体の同一の側面に沿って配置された２つの直立体を、該直立体の下端部及び上端部の両方の直近で相互に連結しており、
前記管状補強要素は、実質的に水平であって相互に平行な２つの前方部分を有しており、該前方部分は、２つのＣ字形状の側方部分の下端部及び上端部を夫々相互に連結していることを特徴とする足部。
【請求項２】
前記直立体は、外形が管状の要素及び／又は曲がった板金から形成された要素を有していることを特徴とする請求項１に記載の足部。
【請求項３】
前記直立体は、矩形状の平面形状を有して実質的に水平な面に置かれている基部要素から延びていることを特徴とする請求項１又は２に記載の足部。
【請求項４】
前記直立体は、前記管状補強要素によってだけでなく、横断要素によっても互いに連結されていることを特徴とする請求項１乃至３のいずれか一項に記載の足部。
【請求項５】
前記基部要素は、曲がった板金から形成された要素及び／又は外形が管状の要素を有していることを特徴とする請求項３に記載の足部。
【請求項６】
Ｃ字形状の側方部分夫々の上側アーム及び／又は下側アームが、前記支持構造体の前側から後側に向かってＣ字形状の側方部分夫々の上側アーム及び下側アーム間の距離を短くするために、前記上側アーム及び／又は下側アームの中間領域に湾曲部分及び相補的湾曲部分を有していることを特徴とする請求項１乃至５のいずれか一項に記載の足部。
【請求項７】
前記支持構造体の前側に関連付けられ得る前方要素を更に備えており、該前方要素は、ポリマ製の成形された被覆体により構成されて板に取り付けられて前記円形編機の制御及び作動のための機器を収容するために人間工学が適用された外形を有する箱形の構造を有していることを特徴とする請求項１乃至６のいずれか一項に記載の足部。
【請求項８】
前記支持構造体に着脱可能に関連付けられ得る被覆パネルを更に備えていることを特徴とする請求項１乃至７のいずれか一項に記載の足部。
【請求項９】
前記支持構造体に前記被覆パネルの少なくとも一部をスナップ式に固定するためのスナップ固定要素を更に備えていることを特徴とする請求項８に記載の足部。
【請求項１０】
前記スナップ固定要素は弾性Ｕボルトを有しており、該弾性Ｕボルトは、前記管状補強要素と弾性反作用によって係合可能であり、前記支持構造体に対して対応する被覆パネルを保持するために接触翼部を有していることを特徴とする請求項９に記載の足部。
【請求項１１】
前記被覆パネルの少なくとも一部は成形されたポリマから形成されていることを特徴とする請求項８乃至１０のいずれか一項に記載の足部。
【発明の詳細な説明】
【技術分野】
【０００１】
本発明は、靴下類等のための円形編機のための足部に関する。
【背景技術】
【０００２】
既知のように、靴下類のための円形編機は、編機のための地面支持体を構成して編機の編成ヘッドを支持する足部を備えており、編機は、垂直軸芯を有して足部に対して自軸回りに回転可能な針ホルダ又はシングル針シリンダ若しくはダブル針シリンダと、編成品を形成するために必要な他の要素と、編機の様々な要素を作動させるモータ及びアクチュエータとによって構成されている。
【発明の概要】
【発明が解決しようとする課題】
【０００３】
足部は、足部が支持する要素の重量と編機の動作とによって生じる全ての静的応力及び動的応力を地面に放出する機能を有する。特に、自軸回りの交互の回転運動で作動可能なシングル針シリンダ又はダブル針シリンダを備えた円形編機では、この交互の作動が足部に捩り応力を生じさせ、この捩り応力は十分な対比を特に面倒で困難にする場合がある。
【０００４】
現在市販されている靴下類編機の足部は、板金から形成された板状要素、及び／又は必要な強度を得るように相互に組み立てられたダイカスト要素によって構成されている。
【０００５】
様々なタイプの靴下類編機は、異なる構造を有することによって強度が相互に異なるという問題を有する。従って、例えばシングルシリンダ円形編機は、ダブルシリンダ円形編機の強度の問題とは異なる強度の問題を有する。このため、様々なタイプの編機の機能として、編機のために設計された様々なタイプの足部が市販されている。
【０００６】
製造コスト及び在庫管理コストの両方を下げるために製造を組織化し、可能であれば統一するという要望により、様々なタイプの円形靴下類編機に使用され得る足部の必要性が生じている。
【０００７】
本発明の意図は、使用するときの足部の強度及び適応性の特性によって、様々なタイプの円形靴下類編機、更に円形編機等に使用され得る足部を提供することにより、この要件を満たすということである。
【０００８】
この意図の範囲内で、本発明の目的は、シングルシリンダ円形編機及びダブルシリンダ円形編機の両方に使用され得る足部を提供することである。
【０００９】
本発明の別の目的は、競争力のある価格で製造され得る足部を提供することである。
【００１０】
本発明の更なる目的は、編機への保守介入を容易にする足部を提供することである。
【００１１】
本発明の別の目的は、使用中の安全性及び信頼性を適切に保証する足部を提供することである。
【課題を解決するための手段】
【００１２】
この意図、並びにこれらの目的及び以下に明らかとなるその他の目的は、靴下類等のための円形編機のための足部であって、支持構造体を備えており、該支持構造体は、
−実質的に垂直な方向に沿って延びている複数の直立体と、
−該直立体に強固に連結されて前記直立体を相互に連結する少なくとも１つの管状補強要素と
を備えていることを特徴とする足部によって達成される。
【００１３】
本発明の更なる特徴及び利点は、添付図面の非限定例で示した本発明に係る足部の好ましいが排他的でない実施形態の説明からより明らかになる。
【図面の簡単な説明】
【００１４】
【図１】組み立てられた状態の本発明に係る足部を示す斜視図である。
【図２】本発明に係る足部を示す側面図である。
【図３】本発明に係る足部の一部を示す分解斜視図である。
【図４】図３に対して異なる角度から、本発明に係る足部の一部を示す分解斜視図である。
【図５】本発明に係る足部の支持構造体を示す斜視図である。
【図６】図５に対して異なる角度から、本発明に係る足部の支持構造体を示す斜視図である。
【図７】本発明に係る足部の支持構造体を示す側面図である。
【発明を実施するための形態】
【００１５】
図面を参照すると、本発明に係る靴下類等のための円形編機のための足部は、参照番号1 で一般的に示されて支持構造体2 を備えており、支持構造体2 は、本発明によれば、実質的に垂直な方向に沿って延びている複数の直立体3 と、直立体3 に強固に連結されて直立体3 を相互に連結する少なくとも１つの管状補強要素4 とを備えている。
【００１６】
好都合なことに、直立体3 は、外形が管状の金属性の要素と、曲がった板金、好ましくは鋼から形成された要素とによって構成されており、これらの要素はそれ自体公知な方法で、好ましくは溶接によって相互に組み立てられ得る。
【００１７】
直立体3 は、矩形状の平面形状を有して実質的に水平な面に置かれている基部要素5 から延びている。直立体3 は、実質的に仮想平行六面体の４つの垂直縁部に沿って配置されている。
【００１８】
より詳細には、基部要素5 は、外形が管状の２つの要素6, 7から構成されており、要素6, 7は、矩形状の断面を有し、支持構造体2 の側面の直近に配置され、金属板8 によって相互に連結されている。金属板8 は、好都合なことに金属板8 の構造にリブを設けるべく引き延ばされた輪郭部分9 によって補強されている。
【００１９】
好ましくは、１つの管状補強要素4 が設けられており、管状補強要素4 は管状補強要素自体で閉じられて、直立体3 に強固に固定されている。
【００２０】
更により好ましくは、管状補強要素4 は、支持構造体2 の２つの対向する側面に沿って配置された２つの側方部分4a, 4bを有している。２つの側方部分4a, 4bは夫々Ｃ字形状であり、支持構造体2 の同一の側面に沿って配置された２つの直立体3 を、直方体の下端部及び上端部の両方の直近で相互に連結している。
【００２１】
管状補強要素4 は、実質的に水平であって相互に平行な２つの前方部分4c, 4dを有しており、前方部分4c, 4dは、２つのＣ字形状の側方部分4a, 4bの下端部及び上端部を夫々相互に連結している。
【００２２】
有利には、２つのＣ字形状の側方部分4a, 4b夫々の上側アーム、好ましくは下側アームも、支持構造体2 の前側から後側の方向にＣ字形状の側方部分夫々の上側アーム及び下側アーム間の距離を短くするように、上側アーム及び下側アームの延長部分の中間領域に湾曲部分11及び相補的湾曲部分12を有している。
【００２３】
実際には、本発明に係る足部の支持構造体2 では管状補強要素4 は直立体3 と一体であり、シングルシリンダ円形靴下類編機及びダブルシリンダ円形靴下類編機の両方の編成ヘッドを対応する付属品と共に正確に支障なく支持し得る強度を全体として達成している。
【００２４】
好都合なことに、直立体3 は、管状補強要素4 によってだけでなく、金属又は曲がった金属板から形成されて外形が管状の要素によって構成されている横断要素10によっても相互に連結され得るため、支持構造体2 を更に補強する。
【００２５】
直立体3 は直立体3 の上端部で、実質的に水平な面に置かれているフレーム23によって相互に連結されており、円形靴下類編機の針シリンダの周りに通常設けられている板が、フレーム23に固定されるように構成されている。フレーム23は、追加の溶接要素24によって管状補強要素4 及び／又は横断要素10に好ましくは連結されているため、支持構造体2 の剛性及び全体的な強度が増す。
【００２６】
本発明に係る足部は前方要素13を更に備えており、前方要素13は、支持構造体2 の前側に関連付けられることができ、ポリマ製の成形された被覆体により構成されて板に取り付けられて編機の制御及び作動のための機器を収容するように構成された箱形の構造を有している。
【００２７】
図１から分かるように、前方要素13はモニタ14と編機を制御するためのインターフェースキーボード15とを支持している。成形された被覆体は、人間工学的レベルでの使用を向上させるべく好都合な外形を有している。
【００２８】
本発明に係る足部は被覆パネル16, 17, 18a, 18bを更に備えており、被覆パネル16, 17, 18a, 18bは、例えばねじによって支持構造体2 に着脱可能に関連付けられ得る。
【００２９】
図示された実施形態では、２つの側方の被覆パネル16, 17が設けられており、ねじと組み合わせて又はねじの代替案として、支持構造体2 に側方の被覆パネル16, 17をスナップ式に固定するためのスナップ固定要素19が設けられている。スナップ固定要素19は、好ましくは弾性Ｕボルトによって構成されており、弾性Ｕボルトは、予め設定された領域で管状補強要素4 を部分的に包むような形状を有する。弾性Ｕボルト19は、側方の被覆パネル16, 17に適切に設けられた孔20を貫通し、接触翼部19a を有しており、接触翼部19a の寸法は、側方の被覆パネル16, 17を保持するために孔20を貫通しないような寸法である。実際には、弾性Ｕボルト19は管状補強要素4 と弾性反作用によって係合することが可能であり、支持構造体2 に対して側方の被覆パネル16, 17を固定する。
【００３０】
側方の被覆パネル16, 17は、編機を冷却するために空気を通過させるべくフィンを有する開口部21と交差する。
【００３１】
本発明に係る足部は、一対の後方の被覆パネル18a, 18bによって完成し、被覆パネル18a, 18bは、例えばねじによって支持構造体2 の後側に着脱可能に固定されている。
【００３２】
後側に位置する管状補強要素4 の部分は、編機が装備している付属品を固定するために使用されることができ、多くの現在市販されている足部で代わりに生じているような、足部にねじ留めされる高価な突出する板の使用が回避される。
【００３３】
側方の被覆パネル16, 17、前方要素13、及び任意に後方の被覆パネル18a, 18bは、成形されたポリマから形成されていることが好ましい。
【００３４】
明細書の完全性を期すために、支持構造体2 及び被覆パネル16, 17, 18a, 18bは、これらが支持する必要がある編機の部品の軽量化、固定、検査又は換気のために孔22を有し得ることに注目すべきである。
【００３５】
本発明に係る足部の支持構造体2 は、管状補強要素4 が設けられているため、更にシングル針シリンダ又はダブル針シリンダの自軸回りの交互の回転により生じる捩りタイプの静的応力及び動的応力両方に対する安定性及び抵抗を達成し、例えば、本発明に係る足部をシングルシリンダ円形靴下類編機だけでなく、ダブルシリンダ円形靴下類編機及び円形編機にも採用することが可能である。
【００３６】
更に、足部2 の支持構造体は、支持構造体の形状によって、側方の被覆パネル16, 17によって閉じられる大きな側方の窓部を有しており、被覆パネル16, 17は、編機の保守介入又は検査中に容易且つ迅速に分解されることができ、このような介入が簡単且つ迅速に行われる。
【００３７】
実際には、本発明に係る足部が、足部の特に支持構造体によって、広範囲な円形編機での使用を可能にするような強度を有しているので、意図した目的を完全に達成することが分かっており、特に、本発明に係る足部をシングルシリンダ円形靴下類編機、ダブルシリンダ円形靴下類編機及び円形編機に使用することが可能である。
【００３８】
本発明に係る足部の別の利点は、編機の保守又は検査のための介入をより簡単により迅速にするということである。
【００３９】
本発明に係る足部の更なる利点は、編機の耐用年数が終了する際に容易に再利用され得る材料が使用されているということである。
【００４０】
このように考案された足部に、その全てが添付の特許請求の範囲内にある多くの修正及び変更が加えられることができ、またその細部の全てが、更に他の技術的に等価な要素に置き換えられてもよい。
【００４１】
実際には、用いられる材料が特定の用途に適合する限り、用いられる材料及び寸法は、要件及び技術の状態に応じて如何なるものであってもよい。
【００４２】
本出願が優先権を主張しているイタリア特許出願第MI2014A002101 （102014902315191 ）号での開示内容は、参照して本明細書に盛り込まれる。
【００４３】
任意の請求項に述べられている技術的特徴の後には参照番号が付記されているが、これらの参照番号は、特許請求の範囲の理解度を高めるためだけに含まれているものであり、従って、このような参照番号は、このような参照番号により一例として識別される夫々の要素の解釈を如何なる形においても限定するものではない。
【図１】
0006697464.tif 000002
【図２】
0006697464.tif 000003
【図３】
0006697464.tif 000004
【図４】
0006697464.tif 000005
【図５】
0006697464.tif 000006
【図６】
0006697464.tif 000007
【図７】
0006697464.tif 000008